(57)【要約】【目的】床上に設置した筐体の転倒を確実に防止すると共に、簡単に、床面との固定状態を解除する事が出来る筐体の転倒防止用固定具を提供することである。【構成】この発明に係わる固定具は、筐体１００の転倒防止用に、この筐体１００とこれが設置される床２００との間に介設される固定具１０であって、筐体１００の底面１００ａに接着される上体１２と、床２００の上面に接着される下体１４と、上体１２と下体１４とを上下分離可能に連結する連結具１６とを具備することを特徴としている。【選択図】        図１
2005002757.tif 000002
【特許請求の範囲】
【請求項１】
筐体の転倒防止用として、該筐体とこれが設置される床との間に介設される固定具であって、
前記筐体の底面に接着される上体と、
前記床の上面に接着される下体と、
前記上体と下体とを分離可能に連結する連結具とを具備することを特徴とする筐体の転倒防止用固定具。
【請求項２】
前記上体の下面には、互いに直交する一対の上側片を備えた上側突条が、下方に向けて突出する状態で少なくとも一対形成され、
前記下体の上面には、前記上体と下体とが上下に重ねあわされた状態で、前記上側突条と当接するよう、互いに直交する一対の下側片を備えた下側突条が、上方に向けて突出する状態で少なくとも一対設けられ、
前記各上側片の下面とこれに対応する前記下側片の上面との互いの当接部には、互いに相補的に嵌合する突起及び溝が夫々形成されていて、
該突起及び溝の嵌合を介して前記上側突条及び下側突条の横方向への相対移動を禁止され、
前記連結具を外す事により、前記上体と下体とが、上下方向に分離される事を特徴とする請求項１に記載の筐体の転倒防止用固定具。
【請求項３】
前記上側突条は、前記上体に一体的に形成され、
前記下側突条は、前記下体に一体的に形成され、
該上側及び下側突条は、前記上体及び下体が重ねあわされた状態で、全面に渡り互いに当接する事を特徴とする請求項２に記載の筐体の転倒防止用固定具
【請求項４】
前記上側突条は、平面視で四角形を構成するように二対設けられ、
前記下側突条は、前記上側突条に対応した状態で、平面視で四角形を構成するように二対設けられている事を特徴とする請求項２又は３に記載の筐体の転倒防止用固定具。
【請求項５】
前記上側突条及び下側突条の一方には、前記突起が形成され、
前記上側突条及び下側突条の他方には、前記溝が形成されている事を特徴とする請求項２乃至４の何れか１項に記載の筐体の転倒防止用固定具。
【請求項６】
前記突起及び溝は、互いに相補的に嵌合するように側面視で三角形状に形成されている事を特徴とする請求項２乃至５の何れか１項に記載の筐体の転倒防止用固定具。
【請求項７】
前記上側突条及び下側突条は、夫々、前記上体及び下体から側方に張り出した状態で形成され、
前記連結具は、互いに重ね合わされ前記上側突条及び下側突条の、互いに対向する前記上側片及び下側片を一括してサンドイッチする状態で側方から嵌入され、
この嵌合状態で、前記上体及び下体を上下に分離不能に連結する事を特徴とする請求項４に記載の筐体の転倒防止用固定具。
【請求項８】
前記連結具は、平面視でコ字状に形成されている事を特徴とする請求項７に記載の筐体の転倒防止用固定具。
【請求項９】
前記上体の上面には、前記筐体の底面に接着するための接着剤が塗布されており、
前記下体の下面には、前記床面に接着するための接着剤が塗布されている事を特徴とする請求項１に記載の筐体の転倒防止用固定具。
【発明の詳細な説明】
【０００１】
【発明の属する技術分野】
この発明は、筐体の転倒防止用に、該筐体とこれが設置される床との間に介設される固定具に関し、例えば、コンピュータを床上に設置する際に、該コンピュータの筐体を転倒防止可能に該床上に移動可能な状態で固定するための固定具に関する。
【０００２】
【従来の技術】
従来より、コンピュータ等の筐体を有する機器を床上に設置する際に、地震対策の一環として、これの転倒を防止する手段が種々講じられている。例えば、Ｌ字状金具を用い、このＬ字状金具の起立片をコンピュータの筐体の側面にねじやボルト等で固定し、水平片を床面にねじやボルト等で固定するようにして、転倒を防止する事が行われている。また、筐体の底面と床面との間を両面接着シートを用いて接着し、筐体の転倒を防止する事も行われている。
【０００３】
【発明が解決しようとする課題】
しかしながら、上述したＬ字状金具を用いる場合、確かに、筐体の転倒は確実に防止されるものの、筐体の側面や床面にねじやボルトを螺合させるためのねじ孔を形成させなければならず、好ましいものではない。また、両面接着シートを用いる場合、Ｌ字状金具と同様に、確かに、筐体の転倒は確実に防止され、且つ、ねじ孔等の形成も不要であるものの、床面への固定状態を解除して、筐体を他の場所に移動させる事が極めて困難であり、これもまた好ましいものではなく、改善が強く要望されていた。
【０００４】
この発明は、上述した事情に鑑みなされたもので、この発明の主たる目的は、床上に設置した筐体の転倒を確実に防止すると共に、簡単に、床面との固定状態を解除する事が出来る筐体の転倒防止用固定具を提供することである。
【０００５】
また、この発明の他の目的は、床上に設置した筐体の転倒を確実に防止すると共に、必要に応じて床面との固定状態を解除する事が出来る筐体の転倒防止用固定具を提供する事である。
【０００６】
【課題を解決するための手段】
上述した課題を解決し、目的を達成するため、この発明に係わる筐体の転倒防止用固定具は、請求項１の記載によれば、筐体の転倒防止用に、該筐体とこれが設置される床との間に介設される固定具であって、前記筐体の底面に接着される上体と、前記床の上面に接着される下体と、前記上体と下体とを上下分離可能に連結する連結具とを具備することを特徴としている。
【０００７】
また、この発明に係わる筐体の転倒防止用固定具は、請求項２の記載によれば、前記上体の下面には、互いに直交する一対の上側片を備えた上側突条が、下方に向けて突出する状態で少なくとも一対形成され、前記下体の上面には、前記上体と下体とが上下に重ねあわされた状態で、前記上側突条と当接するよう、互いに直交する一対の下側片を備えた下側突条が、上方に向けて突出する状態で少なくとも一対設けられ、前記各上側片の下面とこれに対応する前記下側片の上面との互いの当接部には、互いに相補的に嵌合する突起及び溝が夫々形成されていて、該突起及び溝の嵌合を介して前記上側突条及び下側突条の横方向への相対移動を禁止され、前記連結具を外す事により、前記上体と下体とが、上下方向に分離される事を特徴としている。
【０００８】
また、この発明に係わる筐体の転倒防止用固定具は、請求項３の記載によれば、前記上側突条は、前記上体に一体的に形成され、前記下側突条は、前記下体に一体的に形成され、該上側及び下側突条は、前記上体及び下体が重ねあわされた状態で、全面に渡り互いに当接する事を特徴としている。
【０００９】
また、この発明に係わる筐体の転倒防止用固定具は、請求項４の記載によれば、前記上側突条は、平面視で四角形を構成するように二対設けられ、前記下側突条は、前記上側突条に対応した状態で、平面視で四角形を構成するように二対設けられている事を特徴としている。
【００１０】
また、この発明に係わる筐体の転倒防止用固定具は、請求項５の記載によれば、前記上側突条及び下側突条の一方には、前記突起が形成され、前記上側突条及び下側突条の他方には、前記溝が形成されている事を特徴としている。
【００１１】
また、この発明に係わる筐体の転倒防止用固定具は、請求項６の記載によれば、前記突起及び溝は、互いに相補的に嵌合するように側面視で三角形状に形成されている事を特徴としている。
【００１２】
また、この発明に係わる筐体の転倒防止用固定具は、請求項７の記載によれば、前記上側突条及び下側突条は、夫々、前記上体及び下体から側方に張り出した状態で形成され、前記連結具は、互いに重ね合わされ前記上側突条及び下側突条の、互いに対向する前記上側片及び下側片を一括してサンドイッチする状態で側方から嵌入され、この嵌合状態で、前記上体及び下体を上下に分離不能に連結する事を特徴としている。
【００１３】
また、この発明に係わる筐体の転倒防止用固定具は、請求項８の記載によれば、前記連結具は、平面視でコ字状に形成されている事を特徴としている。
【００１４】
また、この発明に係わる筐体の転倒防止用固定具は、請求項９の記載によれば、前記上体の上面には、前記筐体の底面に接着するための接着剤が塗布されており、前記下体の下面には、前記床面に接着するための接着剤が塗布されている事を特徴としている。
【００１５】
【発明を実施する形態】
以下、この発明に係わる筐体の転倒防止用固定具の好適する実施例（一実施例）の構成を、添付図面を用いて、詳細に説明する。
【００１６】
先ず、図１及び図２に示すように、この一実施例の転倒防止用固定具（以下、単に固定具と呼ぶ。）１０は、地震対策の一環として、筐体１００の転倒を防止するために、この筐体１００とこれが設置される床２００との間に介設される固定具であり、筐体１００の底面１００ａに接着される上体１２と、床２００の上面に接着される下体と１４と、上体１２と下体１４とを分離可能に連結する連結具１６とから構成されている。上体１２及び下体１４は、夫々、平面視で正方形状を呈する状態で、同一サイズに構成されている。
【００１７】
尚、上体１２の上面には、筐体１００の底面１００ａに接着するための接着剤１８が略全面に渡り塗布されており、図示されていないが、下体１４の下面には、床２００の上面に接着するための接着剤が、略全面に渡り塗布されている。これら接着剤１８は、接着に供されない状態において、夫々、図示しない剥離紙により全面的に覆われている。
【００１８】
ここで、この固定具１０において、上体１２の下面１２ａには、平面視で四角形状、より具体的には、正方形状を呈する上側突条２０が、下方及び外方（側方）に向けて突出する状態で一体的に形成されている。
【００１９】
より詳細には、この実施例においては、上側突条２０は、一対のＬ字状の上側突状部２０ａ，２０ｂを正方形を規定するように組み合わせた状態で備えている。そして、一方の上側突状部２０ａは、互いに直交する同一長さの一対の上側片２０ａ１，２０ａ２から構成され、また、他方の上側突状部２０ｂは、互いに直交する同一長さの一対の上側片２０ｂ１，２０ｂ２から構成されている。即ち、上側突条２０は、上体１２の四辺を取り囲むように、互いに直交する二対の上側片２０ａ１，２０ａ２：２０ｂ１，２０ｂ２）を備えて構成されているものである。
【００２０】
また、下体１４の上面１４ａには、上体１２と下体１４とが上下に重ねあわされた状態で、上側突条２０と全面に渡り当接するよう、平面視で四角形状、より具体的には、上述した上側突条２０の長方形状と同一形状の正方形状を呈する下側突条２２が、上方及び外方（側方）に向けて突出する状態で一体的に形成されている。
【００２１】
より詳細には、この実施例においては、下方突条２２は、一対のＬ字状の下側突状部２２ａ，２２ｂを正方形を規定するように組み合わせた状態で備えている。そして、一方の下側突状部２２ａは、互いに直交する同一長さの一対の下側片２２ａ１，２２ａ２から構成され、また、他方の下側突状部２２ｂは、互いに直交する同一長さの一対の下側片２２ｂ１，２２ｂ２から構成されている。即ち、下側突条２２は、下体１４の四辺を取り囲むように、互いに直交する二対の下側片（２２ａ１，２２ａ２：２２ｂ１，２２ｂ２）を備えて構成されているものである。
【００２２】
ここで、上体１２と下体１４とが上下に重ねあわされた状態で、上側突条２０と下側突条２２とは、夫々の下面及び上面が、互いに全面に渡り当接するように設定されている。
【００２３】
一方、図３及び図４にも示すように、各上側片２０ａ１，２０ａ２：２０ｂ１，２０ｂ２の下面と、これに各々対応する下側片２２ａ１，２２ａ：２２ｂ１，２２ｂ２の上面との互いの当接部における中央部位には、互いに相補的に嵌合する突起２４及び溝２６が夫々形成されている。
【００２４】
より詳細には、この実施例では、上方突条２０の下面には、突起２４が形成され、下側突条２２の上面には、溝２６が形成されているが、これに限定される事なく、逆の関係、即ち、上方突条２０の下面に溝２６を形成し、下方突条２２の上面に突起２４を形成するようにしてもよいものである。
【００２５】
そして、突起２４及び溝２６は、互いに相補的に嵌合するように、側面視で三角形状に形成されている。
【００２６】
このような構成を有する事により、突起２４及び溝２６の嵌合を介して、上側突条２０及び下側突条２０の横方向（側方）への相対移動、換言すれば、上体１２及び下体１４の横方向（側方）の相対移動を禁止され、図２に示すように、連結具１６を外す事により、上体１２と下体１４とが、上下方向に分離されるように設定されている。
【００２７】
一方、上述したように、上側突条２０及び下側突条２２は、夫々、対応する上体１２及び下体１４から横方向（側方）に張り出した状態で形成されており、これにより、上体１２及び下体１４の周縁には、四辺に渡り、互いに上下に当接する張り出し部が形成される事になる。そして、上述した連結具１６は、これら張り出し部が互いに重ね合わされ状態で、互いに対向する上側片２０ａ１，２０ｂ１（又は、２０ａ２，２０ｂ２）及び下側片２２ａ１，２２ｂ１（又は、２２ａ２，２２ｂ２）を上下に一括してサンドイッチする状態で側方から嵌入されるように平面視でコ字状に形成されている。
【００２８】
ここで、この連結具１６は、所定距離離間し互いに平行な一対の嵌合片１６ａ，１６ｂと、両嵌合片１６ａ，１６ｂの基端部を連結する連結片１６ｃとを備えて一体的に形成されている。そして、各嵌合片１６ａ，１６ｂの互いに対向する内側面には、対応する上側片２０ａ１，２０ｂ１（又は、２０ａ２，２０ｂ２）及び下側片２２ａ１，２２ｂ１（又は、２２ａ２，２２ｂ２）を、夫々、上下に一括した状態で嵌合する嵌合溝２８ａ，２８ｂが形成されている。
【００２９】
即ち、連結具１６の嵌合片１６ａ，１６ｂの互いに対向する内側面に形成された嵌合溝２８ａ，２８ｂを、対応する上側片２０ａ１，２０ｂ１（又は、２０ａ２，２０ｂ２）及び下側片２２ａ１，２２ｂ１（又は、２２ａ２，２２ｂ２）に、夫々、上下に一括した状態で嵌入させる事により、上体１２及び下体１４の張り出し部は、連結具１６に嵌合する事になる。
【００３０】
そして、この嵌合状態で、上体１２及び下体１４は、連結具１６を介して、上下に分離不能に連結される事になる。換言すれば、筐体１００は床２２０に転倒を防止される状態で固定される事になる。
【００３１】
一方、この連結具１６を側方に引き抜く事により、上体１２及び下体１４の上下の連結状態は解除され、上下方向に分離可能となる。換言すれば、筐体１００は床２２０との固定状態を解除され、移動可能な状態となる。
【００３２】
尚、連結具１６の連結片１６ｃにも、上体１２及び下体１４の嵌入方向前方に位置する張り出し部が嵌入する嵌合溝２８ｃが形成されており、上体１２及び下体１４が上下に重ねあわされた状態で連結具１６が嵌入される事により、三方の張り出し部が連結具１６の嵌合片１６ａ，１６ｂ及び連結片１６ｃの夫々の嵌合溝２８ａ、２８ｂ、２８ｃに嵌合する事になる。
【００３３】
そして、連結具１６を、上体１２及び下体１４の張り出し部に嵌入させる際に、最奥部まで嵌入させた状態において、連結片１６ｃの嵌合溝２８ｃの上面に下向きに突出するように形成されたスナップ結合用の小さな突起３０が、上体１２の嵌入方向前方に位置する張り出し部上に形成させたスナップ結合用の小さな穴３２に係合する事により、両者はスナップ結合し、この嵌合状態が効果的に維持される事になる。
【００３４】
ここで、突起３０は、嵌入方向に直交する方向に関して中央部位に形成されている。一方、上述した小さな穴３２は、連結具１６に対して上体１２及び下体１４を重ねあわしたものが、どの向きから嵌入され様と、最奥部まで嵌入された状態で上述したスナップ係合するように、上体１２及び下体１４の各々の張り出し部の中央部に、各々形成されているものである。
【００３５】
以上のように構成される固定具１０を用いて、筐体１００を床２００上に転倒を防止された状態で固定するための方法、及び、その解除方法を説明する。
【００３６】
先ず、この固定具１０を用いて固定するための方法においては、図１に示すように組み付けられた状態で、上体１２の上面に添着されている剥離紙（図示せず）を剥がし、接着剤１８を露出させた状態で、筐体１００の底面１００ａの所定位置に貼り付ける（接着する）。筐体１００を安定的に床２００上に設置させるためには、最低限、３個の固定具１０が必要であり、４個が好適するものである。
【００３７】
次に、下体１４の下面に添着されている剥離し（図示せず）をはがし、接着剤を露出させた状態で、床２００上の所定個所に押し付け、床２００に貼り付ける（接着する）。この状態で、上体１２と下体１４とは、連結具１６により上下が分離不能な状態で連結されており、また、互いの突起２４及び溝２６の係合により、横方向の動きを禁止されている状態となる。これにより、筐体１００は、固定具１０を介して、床２００上に固定的に載置されることとなり、例え地震が発生しても、床２００上での転倒が、確実に防止されることになる。
【００３８】
一方、この筐体１００を一時的に移動させたい場合には、先ず、固定具１０から連結具１６を横方向に引き抜く。これにより、上体１２と下体１４とは、上下方向に分離可能な状態となる。この結果、筐体１００を引き上げることにより、この筐体１００は、容易に、床２００上から離れ、任意の位置への移動が可能となる。
【００３９】
更に、筐体１００を移動させた後において、この固定具１０を床２００上から取り除きたい場合、即ち、この場合には、図５に示すように、固定具１０の下体１４のみが床２００上に接着剤１８を介して接着されている状態にあるので、より具体的には、固定具１０の下体１４を床２００上から取り除きたい場合には、そのままでは、接着剤１８を介して強固に床２００に接着されているので、手作業で、下体１４を床２００から引き剥がすことは不可能である。
【００４０】
しかしながら、この実施例では、下体１４は、これを取り囲むように、互いに直交する二対の下側片（２２ａ１，２２ａ２：２２ｂ１，２２ｂ２）を各々側方に突出する状態で一体的に備えているので、例えばＬ字状のくぎ抜き等の治具３００を利用して、図６に示すように、この治具３００の折曲部を床２００上に置き、先端を下側片（２２ａ１，２２ａ２：２２ｂ１，２２ｂ２）の下面に引っ掛けるようにし、基端を押し倒すことにより、てこの原理を利用して、容易に下体１４を床２００上から引き剥がすことができるものである。
【００４１】
この発明は、上述した一実施例の構成に限定されること無く、この発明の要旨を変更しない限りにおいて種々の変形可能であることは言うまでもない。
【００４２】
例えば、上述した一実施例においては、上側突条２０として、二対の上側片２０ａ１，２０ａ２：２０ｂ１，２０ｂ２を備え、下側突条２２として、二対の下側片２２ａ１、２２ａ２：２２ｂ１，２２ｂ２を備えるように説明したが、この発明は、このような構成に限定されること無く、例えば、少なくとも一対の上側片２０ａ１，２０ａ２（又は、２０ｂ１，２０ｂ２）と、これらに対応する少なくとも一対の下側片２２ａ１，２２ａ２（又は、２２ｂ１，２２ｂ２）を備えていれば良いものである。
【００４３】
また、この発明は、コンピューターの筐体に適用される場合につき説明したが、この発明は、このような適用例に限定されること無く、例えば、冷蔵庫のような電気製品の筐体にも適用することができるものであり、また、たんす等の家具の筐体にも適用することができることは、言うまでもない。
【００４４】
【発明の効果】
以上詳述したように、この発明によれば、床上に設置した筐体の転倒を確実に防止すると共に、簡単に、床面との固定状態を解除する事が出来る筐体の転倒防止用固定具が提供されることになる。
【００４５】
また、この発明によれば、床上に設置した筐体の転倒を確実に防止すると共に、必要に応じて床面との固定状態を解除する事が出来る筐体の転倒防止用固定具が提供されることになる。
【図面の簡単な説明】
【図１】この発明に係わる筐体の転倒防止用固定具の一実施例の構成を示す斜視図である。
【図２】図１に示す固定具を、分解した状態で示す分解斜視図である。
【図３】図１に示す固定具を、Ａ−Ａ線に沿って切断した状態で示す縦断面図である。
【図４】図１に示す固定具を、Ｂ−Ｂ線に沿って切断した状態で示す縦断面図である。
【図５】床上に固定された固定具の下体の取り外し動作を説明するための縦断面図である。
【図６】図５に示す状態から、下体を床から引き剥がした状態を示す縦断面図である。
【符号の説明】
１０    固定具（筐体の転倒防止用固定具）
１２    上体
１４    下体
１６    連結具
１６ａ，１６ｂ    嵌合片
１６ｃ    連結片
１８    接着剤
２０    上側突条
２０ａ，２０ｂ    上側突状部
２０ａ１，２０ａ２：２０ｂ１，２０ｂ２    上側片
２２    下側突条
２２ａ，２２ｂ    下側突状部
２２ａ１，２２ａ２：２２ｂ１，２２ｂ２    下側片
２４    突起
２６    溝
２８ａ，２８ｂ，２８ｃ    嵌合溝
３０    （スナップ結合用）突起
３２    （スナップ結合用）穴
１００    筐体
１００ａ    底面
２００    床
３００    くぎ抜き
【図１】
2005002757.tif 000003
【図２】
2005002757.tif 000004
【図３】
2005002757.tif 000005
【図４】
2005002757.tif 000006
【図５】
2005002757.tif 000007
【図６】
2005002757.tif 000008